(57)【特許請求の範囲】
【請求項１】
プリント基板に電子部品を搭載し実装して完成基板を製造するために構成された一連の各設備により、前記実装が実行される実装工程に対応して、部品供給部の設置位置情報、部品供給部番号、稼働情報としての供給開始日時、供給終了日時から構成される情報をデータベース化する第１工程と、前記部品供給部の部品供給部番号、補修履歴としての補修内容、補修日時から構成される情報をデータベース化する第２工程とから成り、特定の部品供給部の前記稼働情報および前記補修履歴を表示可能とすることを特徴とする部品供給部管理方法。
【請求項２】
プリント基板に電子部品を搭載し実装して完成基板を製造するために構成された一連の各設備により、前記実装が実行される実装工程に対応して、部品供給部の設置位置情報、部品供給部番号、稼働情報としての供給開始日時、供給終了日時から構成される情報をデータベース化する第１工程と、前記部品供給部の部品供給部番号、補修履歴としての補修内容、補修日時から構成される情報をデータベース化する第２工程と、前記設置位置情報、品質情報としての吸着回数、エラー回数、エラー要因、稼働開始日時、稼働終了日時から構成される情報をデータベース化する第３工程とから成り、特定の部品供給部の前記稼働情報および前記補修履歴並びに前記特定の部品供給部に関連する前記品質情報を表示可能とすることを特徴とする部品供給部管理方法。
【請求項３】
プリント基板に電子部品を搭載し実装して完成基板を製造するために構成された一連の各設備により、前記実装が実行される実装工程に対応して、部品供給部の設置位置情報、部品供給部番号、稼働情報としての供給開始日時、供給終了日時から構成される情報をデータベース化する第１工程と、前記部品供給部の部品供給部番号、補修履歴としての補修内容、補修日時から構成される情報をデータベース化する第２工程と、回路番号、品質情報としての不良内容、発生日時から構成される情報をデータベース化する第３工程とから成り、別途、前記回路番号、前記設置位置情報、部品名称から構成される情報をデータベース化してあり、特定の部品供給部の前記稼働情報および前記補修履歴並びに前記特定の部品供給部に関連する前記品質情報を表示可能とすることを特徴とする部品供給部管理方法。
【発明の詳細な説明】
【０００１】
【発明の属する技術分野】
本発明は、プリント基板に電子部品を搭載する実装設備における部品供給部の電子部品供給の際の部品供給部管理方法に関するものである。
【０００２】
【従来の技術】
従来から、電子部品をプリント基板などに搭載して実装する電子部品の実装設備では、その部品供給部の補修を以下のようにして行っている。
【０００３】
部品供給部は、電子部品を部品吸着位置に送り込む装置であり、部品切れ発生時や機種切り換え時に、実装設備の部品供給部テーブル上の設置位置に対し脱着して使用する。
【０００４】
また、部品供給部は、部品の送り込み動作を頻繁に行うため、定期的な機構の調整が必要となる。特に１ｍｍ×０．５ｍｍ等の微少電子部品の送り込みを専用とする部品供給部の場合では、精密な調整を怠ると、部品の吸着エラーが頻発して効率的な生産に支障を来す。このため、全ての部品供給部の補修結果を、補修履歴として残して管理していることも多い。
【０００５】
【発明が解決しようとする課題】
しかしながら以上のような従来の部品供給部による管理方法では、全ての部品供給部の補修結果を補修履歴として管理するものであり、以下のような問題点を有していた。
【０００６】
通常、部品供給部は、調整後の結果をテストする予備設備や予備部品の余裕もないため、実機でそのまま使用される。したがって、正しく部品供給部が補修されたのかが分からない。
【０００７】
また、部品供給部は、部品切れ発生や機種切り換え等により、搭載設備が変わり、部品供給部の稼動時間が正しく管理できない。このため、稼動時間あるいは部品供給回数に対しての定期的な補修は困難となる。
【０００８】
また、部品供給部に不具合が発生し部品供給回数が低下しても、明らかに部品供給部が原因で設備停止した場合の他は、現在どの設備の部品供給部で問題が発生しているのかが不明である。
【０００９】
以上のような問題点を有していた。
本発明は、上記従来の問題点を解決するもので、部品供給部の実稼働時間に対応した定期的な補修作業を確実に行うことができるとともに、品質情報や過去の履歴情報から現在稼働している部品供給部の状況を実時間で把握でき、不具合が発生した部品供給部をその場で交換および補修することができる部品供給部管理方法を提供する。
【００１０】
【課題を解決するための手段】
上記の課題を解決するために本発明の部品供給部管理方法は、プリント基板に電子部品を搭載し実装して完成基板を製造するために構成された一連の各設備により、前記実装が実行される実装工程に対応して、部品供給部の設置位置情報、部品供給部番号、稼働情報としての供給開始日時、供給終了日時から構成される情報をデータベース化する第１工程と、前記部品供給部の部品供給部番号、補修履歴としての補修内容、補修日時から構成される情報をデータベース化する第２工程とから成り、特定の部品供給部の前記稼働情報および前記補修履歴を表示可能とすることを特徴とする。
【００１１】
以上により、部品供給部の実稼働時間に対応した定期的な補修作業を確実に行うことができるとともに、品質情報や過去の履歴情報から現在稼働している部品供給部の状況を実時間で把握でき、不具合が発生した部品供給部をその場で交換および補修することができる。
【００１２】
【発明の実施の形態】
本発明の部品供給部管理方法は、プリント基板に電子部品を搭載し実装して完成基板を製造するために構成された一連の各設備により、前記実装が実行される実装工程に対応して、部品供給部の設置位置情報、部品供給部番号、稼働情報としての供給開始日時、供給終了日時から構成される情報をデータベース化する第１工程と、前記部品供給部の部品供給部番号、補修履歴としての補修内容、補修日時から構成される情報をデータベース化する第２工程とから成り、特定の部品供給部の前記稼働情報および前記補修履歴を表示可能とする。
【００１３】
または、本発明の部品供給部管理方法は、プリント基板に電子部品を搭載し実装して完成基板を製造するために構成された一連の各設備により、前記実装が実行される実装工程に対応して、部品供給部の設置位置情報、部品供給部番号、稼働情報としての供給開始日時、供給終了日時から構成される情報をデータベース化する第１工程と、前記部品供給部の部品供給部番号、補修履歴としての補修内容、補修日時から構成される情報をデータベース化する第２工程と、前記設置位置情報、品質情報としての吸着回数、エラー回数、エラー要因、稼働開始日時、稼働終了日時から構成される情報をデータベース化する第３工程とから成り、特定の部品供給部の前記稼働情報および前記補修履歴並びに前記特定の部品供給部に関連する前記品質情報を表示可能とする。
【００１４】
または、本発明の部品供給部管理方法は、プリント基板に電子部品を搭載し実装して完成基板を製造するために構成された一連の各設備により、前記実装が実行される実装工程に対応して、部品供給部の設置位置情報、部品供給部番号、稼働情報としての供給開始日時、供給終了日時から構成される情報をデータベース化する第１工程と、前記部品供給部の部品供給部番号、補修履歴としての補修内容、補修日時から構成される情報をデータベース化する第２工程と、回路番号、品質情報としての不良内容、発生日時から構成される情報をデータベース化する第３工程とから成り、別途、前記回路番号、前記設置位置情報、部品名称から構成される情報をデータベース化してあり、特定の部品供給部の前記稼働情報および前記補修履歴並びに前記特定の部品供給部に関連する前記品質情報を表示可能とする。
以下、本発明の実施の形態を示す部品供給部管理方法について、図面を参照しながら具体的に説明する。なお、ここでは、電子部品の実装工程に適用した場合を例に挙げて説明する。
【００１５】
図１において、実装設備（１）や実装設備（２）などの構成により実行される実装工程１から、その際に設備の制御装置に対して入力手段または手入力を用いて部品供給部５の各実装設備への設置位置の情報を入力し、部品供給部設備設置位置データベース２を作成する。
【００１６】
また、部品供給部５の補修情報は作業者が入力し、その補修情報を補修履歴として部品供給部補修履歴データベース３に保存する。
また、設備の各種品質情報は、設備の制御装置から入出力手段を用いて品質情報データベース４に保存する。
【００１７】
次に、上記で説明した本実施の形態における各データベースの構成を、図２を用いて詳細に説明する。
部品供給部設備設置位置データベース２は、設備名称、部品供給部の設備設置位置、部品供給部を一意に特定する部品供給部番号、その設備への設置位置に対する供給開始日時、同供給終了日時から構成される。
【００１８】
また、部品供給部補修履歴データベース３は、部品供給部番号、部品供給部を補修した補修内容、補修日時より構成される。
また、品質情報データベース４ａは、検査設備の検査結果であり、プリント基板の特定位置に実装される部品を一意に示す回路番号、検査結果である不良内容、不良の発生日時から構成される。さらに、品質情報データベース４ｂは、実装設備の部品装着情報であり、設備名称、部品供給部の設備設置位置、吸着回数、吸着時のエラー回数、そのエラー要因、稼働開始日時、その稼働終了日時から構成される。
【００１９】
また、別途用意される情報として実装情報データベース６があり、回路番号に対する、設備名称、設備設置位置、部品名称等が管理されている。
このような構成において、部品供給部を特定した場合の稼動時間、補修履歴および品質情報の出力方法を、図３に従って説明する。
【００２０】
図３に示すように、部品供給部を一意に示す部品供給番号を指定することにより、部品供給部設備設置位置データベース２から、設備名称、設備設置位置、供給開始日時、供給終了日時を検索し保持する（＃１）。同様に、部品供給部番号から部品供給部補修履歴データベース３内の補修内容と補修日時を検索し保持する（＃２）。
【００２１】
これにより、特定の部品供給部における稼働時間と補修内容を出力することができる。
さらに品質情報が必要であれば以下の工程を行う。
【００２２】
＃１で保持した設備名称と設備設置位置と実装情報データベース６内の実装情報データとから、回路番号を検索し保持する（＃３）。＃３で保持した回路番号と品質情報データベース４ａ内の品質情報データとにより、品質不良内容を、＃１で検索した供給開始日時から供給終了日時まで集計し保持する（＃４ａ）。また、＃１で保持した設備名称と設備位置と品質情報データベース４ｂ内の品質情報データとにより、吸着回数、エラー回数およびエラー要因を、＃１で検索した供給開始日時から供給終了日時まで集計し保持する（＃４ｂ）。最後に保持した結果を表示装置に出力する。
【００２３】
これにより、特定の部品供給部に対する各種の情報が得られる。また、全ての部品供給部に対して、定期的に処理をしておくことにより、品質不良あるいは吸着エラー回数の大なる順序で部品供給部番号を表示し、不具合が発生している部品供給部を絞り込むことも可能である。
【００２４】
【発明の効果】
以上のように本発明によれば、各実装設備の部品供給部の設置位置情報と部品供給部番号および稼働情報を収集する手段により、当該情報をデータベース化する工程と、部品供給部の補修履歴の管理結果をデータベース化する工程とから、現在設備上で稼働または稼働していた特定部品供給部の稼働情報と部品供給部の補修履歴を表示することができる。
【００２５】
そのため、部品供給部の実稼働時間に対応した定期的な補修作業を確実に行うことができる。
また、各設備の実装品質情報を収集する手段を用いて、この情報をデータベース化する工程を加え、現在設備上で稼働または稼働していた特定部品供給部に関連する品質情報を実時間で表示することができる。
【００２６】
そのため、品質情報や過去の履歴情報から現在稼働している部品供給部の状況を実時間で把握でき、不具合が発生した部品供給部をその場で交換および補修することができる。
【００２７】
その結果、実装設備における部品供給部の履歴管理、稼働管理および品質管理のシステム化を行うことができ、確実な補修作業を支援することができる。
【図面の簡単な説明】
【図１】本発明の実施の形態の部品供給部管理方法を実現するための構成図
【図２】同実施の形態におけるデータベースの構成図
【図３】同実施の形態における処理を示すフローチャートの説明図
【符号の説明】
１    実装工程
２    部品供給部設備設置位置データベース
３    部品供給部補修履歴データベース
４    品質情報データベース
５    部品供給部
６    実装情報データベース
【図１】
0004651136.tif 000002
【図２】
0004651136.tif 000003
【図３】
0004651136.tif 000004